(57)【要約】【課題】通信における受信効率の低下を防止する観点からすれば、携帯通信端末にアンテナを内蔵する場合には、内蔵するアンテナは、その一部が携帯端末筐体外部に露出するように配置されることが望ましい。一方、携帯通信端末は、携帯通信端末を利用するユーザの手等によって支持、又は／及び操作されることで利用されるため、内蔵するアンテナの一部が露出していると、アンテナの露出部分にユーザの手等が接触してしまうことがある。  そこで、受信品質が比較的大きく低下してしまう可能性を低減することができる携帯通信端末を提供することを目的とする。【解決手段】  一部が携帯端末筐体外部に露出するように配置されているアンテナを複数備え、受信品質に応じて、通信に利用するアンテナを切り替える。【選択図】図４
2013110706.tif 000002
【特許請求の範囲】
【請求項１】
アンテナを利用して外部から送信される信号を受信する携帯通信端末であって、
それぞれ少なくとも一部が露出している複数の同種アンテナと、
前記複数の同種アンテナの全部又は一部を利用して、外部から送信される信号を受信する受信手段と、
前記受信手段が行う受信における受信品質を示す受信品質情報を算出する算出手段と、
前記算出手段によって算出された、前記受信手段が前記複数の同種アンテナのうちの１つである第１のアンテナを利用して受信する場合における受信品質情報と前記受信手段が前記複数の同種アンテナのうちの他の１つである第２のアンテナを利用して受信を行う場合における受信品質情報とを利用して、前記受信手段が受信を継続するために利用するアンテナを特定する特定手段とを備え、
前記受信手段は、前記特定手段が受信を継続するために利用するアンテナを特定した場合に、当該特定されたアンテナを利用して受信を行う
ことを特徴とする携帯通信端末。
【請求項２】
前記特定手段は、前記算出手段によって算出された、前記受信手段が前記第１のアンテナを利用して受信する場合における受信品質情報によって示される受信品質が、前記算出手段によって算出された、前記受信手段が前記第２のアンテナを利用して受信する場合における受信品質情報によって示される受信品質よりも低いときに、前記特定するアンテナとして、前記第１のアンテナ以外のアンテナを特定する
ことを特徴とする請求項１記載の携帯通信端末。
【請求項３】
前記特定手段は、前記算出手段によって算出された、前記受信手段が前記第１のアンテナを利用して受信する場合における受信品質情報によって示される受信品質が所定の閾値以下となるときに、前記特定するアンテナとして、前記第１のアンテナ以外のアンテナを特定する
ことを特徴とする請求項１記載の携帯通信端末。
【請求項４】
前記携帯通信端末は、略直方体の筐体を備え、
前記第１のアンテナは、前記筐体の第１の面の表面に配置され、
前記第２のアンテナは、前記筐体の面のうち、前記第１の面以外の第２の面の表面に配置される
ことを特徴とする請求項２又は３記載の携帯通信端末。
【請求項５】
前記第２の面は、前記第１の面に対向する面である
ことを特徴とする請求項４記載の携帯通信端末。
【請求項６】
前記携帯通信端末は、表面にディスプレイが配置されてなる主面を有する略直方体の筐体を備え、
前記第１のアンテナと前記第２のアンテナとは、それぞれ、前記主面のうち、前記ディスプレイを挟んで互いに対向する位置に配置される
ことを特徴とする請求項２又は３記載の携帯通信端末。
【請求項７】
前記携帯通信端末は、第１の筐体と、当該第１の筐体に連結される第２の筐体とを備え、
前記第１のアンテナは、前記第１の筐体の表面に配置され、
前記第２のアンテナは、前記第２の筐体の表面に配置される
ことを特徴とする請求項２又は３記載の携帯通信端末。
【請求項８】
前記受信品質情報は、前記受信手段が行う受信における受信強度を示す情報である
ことを特徴とする請求項４、６又は７記載の携帯通信端末。
【請求項９】
前記複数の同種アンテナのそれぞれは、前記携帯通信端末の表面に形成された、薄膜状の金属からなる
ことを特徴とする請求項８記載の携帯通信端末。
【請求項１０】
前記金属は、ステンレスである
ことを特徴とする請求項９記載の携帯通信端末。
【請求項１１】
前記携帯通信端末は、表面にディスプレイが配置されてなる主面を有する略直方体の筐体を備え、
前記第１のアンテナと前記第２のアンテナとは、それぞれ、前記主面以外の面に配置されることを特徴とする、請求項２又は３に記載の携帯通信端末。
【請求項１２】
前記第１のアンテナと前記第２のアンテナとは、それぞれ、前記ディスプレイを挟んで互いに対向する位置に配置されることを特徴とする請求項１１記載の携帯通信端末。
【発明の詳細な説明】
【技術分野】
【０００１】
本発明は、携帯通信端末についての技術に関する。
【背景技術】
【０００２】
従来、例えば、特許文献１、特許文献２に記載されているように、内蔵するアンテナを利用して外部の機器と通信を行う携帯通信端末が知られている。
【先行技術文献】
【特許文献】
【０００３】
【特許文献１】特開平６−２８４０６２号公報
【特許文献２】特開平７−９９４０３号公報
【発明の概要】
【発明が解決しようとする課題】
【０００４】
一般に、通信機器がアンテナを利用して外部の機器と通信する場合において、そのアンテナとその外部の機器との間に障害物が存在すると、通信に利用される電磁波が、その障害物によって吸収、或いは反射されてしまい、そのアンテナを利用して行う通信における送信・受信効率が低下してしまうことが知られている。
従って、通信における送信・受信効率の低下を防止する観点からすれば、携帯通信端末にアンテナを内蔵する場合には、内蔵するアンテナは、その一部が携帯端末筐体外部に露出するように配置されることが望ましい。
【０００５】
しかしながら、携帯通信端末は、携帯通信端末を利用するユーザの手等によって支持、或いは操作されることで利用されるため、内蔵するアンテナの一部が露出している場合、アンテナの露出部分にユーザの手等が接触してしまうことがある。そのため、アンテナの一部にユーザの手等が接触した場合、そのアンテナのアンテナ特性が比較的大きく変化することにより、通信品質が比較的大きく低下することになる。
【０００６】
そこで、本発明は係る問題に鑑みてなされたものであり、内蔵するアンテナの一部が露出している携帯通信端末であって、アンテナの露出部分にユーザの手等が接触した場合において、従来よりも、通信品質が比較的大きく低下してしまう可能性を低減することができる携帯通信端末を提供することを目的とする。
【課題を解決するための手段】
【０００７】
上記課題を解決するために本発明に係る携帯通信端末は、アンテナを利用して外部から送信される信号を受信する携帯通信端末であって、それぞれ少なくとも一部が露出している複数の同種アンテナと、前記複数の同種アンテナの全部又は一部を利用して、外部から送信される信号を受信する受信手段と、前記受信手段が行う受信における受信品質を示す受信品質情報を算出する算出手段と、前記算出手段によって算出された、前記受信手段が前記複数の同種アンテナのうちの１つである第１のアンテナを利用して受信する場合における受信品質情報と前記受信手段が前記複数の同種アンテナのうちの他の１つである第２のアンテナを利用して受信を行う場合における受信品質情報とを利用して、前記受信手段が受信を継続するために利用するアンテナを特定する特定手段とを備え、前記受信手段は、前記特定手段が受信を継続するために利用するアンテナを特定した場合に、当該特定されたアンテナを利用して受信を行うことを特徴とする。
【０００８】
ここで、複数の同種アンテナとは、互いに同じ周波数帯の信号を受信するために利用されるアンテナのことをいう。
【発明の効果】
【０００９】
本発明に係る携帯通信端末は、第１のアンテナを利用して受信する場合における受信品質情報と、第２のアンテナを利用して受信する場合における受信品質情報とを利用して、通信状態を維持するために利用するアンテナを特定する特定手段とを備える。
このことにより、この携帯通信端末は、ユーザの手等が、第１のアンテナの露出部に接触してしまうこと等が原因で、第１のアンテナを利用して送・受信する場合における通信品質が低下する場合でも、第１のアンテナ以外のアンテナを利用して通信状態を維持することができる。
【００１０】
従って、この携帯通信端末は、アンテナの露出部分にユーザの手等が接触した場合において、従来よりも、通信品質が比較的大きく低下してしまう可能性を低減することが可能となる。
【図面の簡単な説明】
【００１１】
【図１】携帯電話機１００の斜視図
【図２】携帯電話機１００の回路図
【図３】通信用ＬＳＩ２１０の回路図
【図４】アンテナ選択処理のフローチャート
【図５】第１変形アンテナ選択処理のフローチャート
【図６】第２変形携帯電話機６００の斜視図
【図７】第２変形携帯電話機６００の回路図
【図８】通信用ＬＳＩ７１０の回路図
【図９】第２変形アンテナ選択処理のフローチャート
【図１０】初期選択処理のフローチャート
【図１１】第１選択処理のフローチャート
【図１２】第２選択処理のフローチャート
【図１３】第３選択処理のフローチャート
【図１４】第３変形携帯電話機の回路図
【図１５】通信用ＬＳＩ１４１０の回路図
【図１６】第３変形アンテナ選択処理のフローチャート
【図１７】第４変形携帯電話機１７００の斜視図
【図１８】第４変形携帯電話機１７００の回路図
【図１９】８００ＭＨｚ帯通信用ＬＳＩ１８１１の回路図
【図２０】ＢＴ通信用ＬＳＩ１８１２の回路図
【図２１】ＧＰＳ通信用ＬＳＩ１８１３の回路図
【図２２】第５変形携帯電話機２２００の斜視図
【図２３】第６変形携帯電話機２３００の斜視図
【図２４】第７変形携帯電話機２４００の斜視図
【発明を実施するための形態】
【００１２】
＜実施の形態＞
＜概要＞
以下、本発明に係る携帯通信端末の一例として、１．９ＧＨｚ帯の信号を利用して外部の基地局等と通信する携帯電話機１００について説明する。
この携帯電話機１００は、筐体表面に、１．９ＧＨｚ帯の信号を受信するために利用される、ステンレス製薄膜からなる第１アンテナ１１０と第２アンテナ１２０とを備える。そして、携帯電話機１００の状態が通信状態である場合において、第１アンテナ１１０を利用して通信しているときに、第１アンテナ１１０を利用して行う受信におけるＲＳＳＩ（Received Signal Strength Indication）値が所定の閾値を下回ったときに、通信に利用するアンテナを第１アンテナ１１０から第２アンテナ１２０へと切り替えて、通信を継続する。
【００１３】
ここで、携帯電話機１００が通信状態であるとは、携帯電話機１００が外部の基地局等と継続的に通信を行っている状態のことをいう。但し、ここでいう外部の基地局等との継続的な通信は、携帯電話機１００が待ち受け状態の場合に行う、外部の基地局等との間欠的な通信を含まない。
以下、この携帯電話機１００の構成の詳細について、図面を参照しながら説明する。
【００１４】
＜構成＞
図１は、携帯電話機１００の斜視図である。同図では、実際には視認することができない部分についても、破線を用いてあたかも視認することができるかのように表示されている。
同図に示されるように、携帯電話機１００は、略直方体の形状をした筐体を有するいわゆるタブレット型携帯電話機であり、筐体の主平面の表面左上隅に第１アンテナ１１０を備え、主平面に対向する面（以下、「裏面」と呼ぶ。）の表面において、第１アンテナ１１０に対して、略直方体である筐体の中心点を中心として略点対象となる位置に第２アンテナ１２０を備える。さらに、主平面に、タッチパネル１６０の操作面とレシーバ孔１４０とマイク孔１５０とを備える。
【００１５】
図２は、携帯電話機１００の回路図である。
同図に示されるように、携帯電話機１００は、第１アンテナ１１０と第２アンテナ１２０とＣＰＵ（Central Processing Unit）２００と通信用ＬＳＩ（Large Scale Integration）２１０とレシーバ２４０とマイク２５０とメモリ２３０とタッチパネルコントローラ２２０とタイマ２６０とタッチパネル１６０とから構成される。そして、タッチパネル１６０は、タッチパッド１６１とＬＣＤ（Liquid Crystal Display：液晶ディスプレイ）１６２とから構成される。
【００１６】
通信用ＬＳＩ２１０は、ＣＰＵ２００と第１アンテナ１１０と第２アンテナ１２０とに接続され、ＣＰＵ２００によって制御され、第１アンテナ１１０又は第２アンテナ１２０を利用して、１．９ＧＨｚ帯の電磁波を用いて外部の基地局等と通信する機能と、受信した受信信号の電界強度を測定する機能とを有する。
図３は、通信用ＬＳＩ２１０の主要な構成要素を示す回路図である。
【００１７】
同図に示されるように、通信用ＬＳＩ２１０は、セレクタ３１０と送受信切替スイッチ３２０と受信回路３３０と復調回路３４０と送信回路３５０と変調回路３６０とＲＳＳＩ値測定回路３７０とから構成される。
セレクタ３１０は、第１アンテナ１１０と第２アンテナ１２０とＣＰＵ２００と送受信切替スイッチ３２０とに接続され、ＣＰＵ２００から出力されるアンテナ選択信号が論理値“０”の場合に第１アンテナ１１０と送受信切替スイッチ３２０とを電気的に接続する状態となり、アンテナ選択信号が論理値“１”の場合に第２アンテナ１２０と送受信切替スイッチ３２０とを電気的に接続する状態となる機能を有する。
【００１８】
送受信切替スイッチ３２０は、セレクタ３１０と受信回路３３０と送信回路３５０とに接続され、送信回路３５０からの送信経路と、受信回路３３０への受信経路とを時分割もしくは周波数で切り替える機能を有する。
受信回路３３０は、送受信切替スイッチ３２０と復調回路３４０とＲＳＳＩ値測定回路３７０とに接続され、第１アンテナ１１０又は第２アンテナ１２０を利用して外部の基地局等から送信される１．９ＧＨｚ帯の信号を受信する機能と、受信した受信信号を復調回路３４０に送る機能とを有する。
【００１９】
復調回路３４０は、受信回路３３０とＣＰＵ２００とに接続され、受信回路３３０から送られてきた受信信号を復調する機能と、復調した信号をＣＰＵ２００に送る機能とを有する。
送信回路３５０は、送受信切替スイッチ３２０と変調回路３６０とに接続され、変調回路３６０から送られてきた信号を、第１アンテナ１１０又は第２アンテナ１２０を利用して外部の基地局等へ送信する機能を有する。
【００２０】
変調回路３６０は、送信回路３５０とＣＰＵ２００とに接続され、ＣＰＵ２００から送られてきた信号を、１．９ＧＨｚ帯の信号に変調する機能と、変調した信号を送信回路３５０に送る機能とを有する。
ＲＳＳＩ値測定回路３７０は、受信回路３３０とＣＰＵ２００とに接続され、受信回路３３０が受信した受信信号の電界強度を測定する機能と、測定した電界強度をＲＳＳＩ値としてＣＰＵ２００へ送る機能とを有する。ここで、電界強度を測定するとは、受信信号における振幅を測定することをいう。
【００２１】
再び図２に戻って、携帯電話機１００の構成要素の説明を続ける。
第１アンテナ１１０は、受信回路３３０と送信回路３５０とが行う通信に利用される、ステンレス製薄膜からなるモノポールアンテナであって、セレクタ３１０に接続される。そして、この第１アンテナ１１０は、その長さが１．９ＧＨｚ帯電磁波の波長の略１／４となっていて、携帯電話機１００の筐体主平面の表面に配置される。
【００２２】
第２アンテナ１２０は、受信回路３３０と送信回路３５０とが行う通信に利用される、金属製（例えば、ステンレス製）薄膜からなるモノポールアンテナであって、セレクタ３１０に接続される。そして、この第２アンテナ１２０は、第１アンテナ１１０と同様に、その長さが１．９ＧＨｚ帯電磁波の波長の略１／４となっていて、携帯電話機１００の筐体裏面の表面に配置される。
【００２３】
タッチパッド１６１は、タッチパネルコントローラ２２０に接続され、タッチパネルコントローラ２２０によって制御され、透明電極（例えば、ＩＴＯ（Indium Tin Oxide：酸化インジウムスズ）製）を備える透明なタッチパッドであって、ＬＣＤ１６２と互いに重ね合わさることでタッチパネル１６０を形成する。
ＬＣＤ１６２は、タッチパネルコントローラ２２０に接続され、タッチパネルコントローラ２２０によって制御される液晶ディスプレイであって、タッチパッド１６１と互いに重ね合わさることでタッチパネル１６０を形成する。
【００２４】
タッチパネルコントローラ２２０は、ＣＰＵ２００とタッチパッド１６１とＬＣＤ１６２とに接続され、ＣＰＵ２００によって制御され、ＣＰＵ２００から送られてくる画像信号に基づく画像を、ＬＣＤ１６２に表示させる機能と、携帯電話機１００を利用するユーザが、タッチパッド１６１を用いて行うユーザ操作を、電気信号に変換してＣＰＵ２００に送る機能とを有する。
【００２５】
メモリ２３０は、ＣＰＵ２００に接続され、ＣＰＵ２００の動作を規定するプログラムと、ＣＰＵ２００が利用するデータとを記憶する。
また、メモリ２３０は、所定のＲＳＳＩ値の閾値（以下、「ＲＳＳＩ閾値」と呼ぶ。）を記憶している。
レシーバ２４０は、ＣＰＵ２００に接続され、ＣＰＵ２００から送られる電気信号を、音声に変換する機能を有する。
【００２６】
マイク２５０は、ＣＰＵ２００に接続され、入力される音声を電気信号に変換してＣＰＵ２００へ送る機能を有する。
タイマ２６０は、ＣＰＵ２００に接続され、ＣＰＵ２００によって制御され、時間を計測する機能を有する。
ＣＰＵ２００は、通信用ＬＳＩ２１０とタッチパネルコントローラ２２０とメモリ２３０とレシーバ２４０とマイク２５０とタイマ２６０とに接続され、メモリ２３０に記憶されているプログラムを実行することとで、通信用ＬＳＩ２１０とタッチパネルコントローラ２２０とタイマ２６０とを制御して、以下の３つの機能を実現する。
【００２７】
携帯電話機制御機能：携帯電話機１００を制御して、携帯電話機１００に、従来のタブレット型携帯電話機が有する携帯電話機としての一般的な機能と同等な機能、例えば、通話機能、インターネットサイト閲覧機能、メール送受信機能、待ち受け機能等を実現させる機能。
アンテナ選択信号生成機能：ＲＳＳＩ値測定回路３７０から送られるＲＳＳＩ値に基づいて、論理値“０”又は“１”のいずれかとなるアンテナ選択信号を生成し、生成したアンテナ選択信号をセレクタ３１０に出力する機能。このアンテナ選択信号生成機能は、ＣＰＵ２００が後述のアンテナ選択処理を実行することで実現される。なお、アンテナ選択処理については、後程＜アンテナ選択処理＞の項目において、フローチャートを用いて詳細に説明する。
【００２８】
初期状態設定機能：携帯電話機１００が起動された場合に、携帯電話機１００を待ち受け状態にして、論理値“０”のアンテナ選択信号を出力する機能。
なお、ＣＰＵ２００は、この初期状態設定機能、及びＣＰＵ２００によって実行される後述のアンテナ選択処理により、携帯電話機１００の状態が待ち受け状態である場合には、論理値“０”のアンテナ選択信号を出力する。
【００２９】
以下、図面を参照しながら、上記構成の携帯電話機１００の行う動作について説明する。
＜動作＞
ここでは、携帯電話機１００の行う動作のうち、特徴的な動作である、アンテナ選択処理について説明する。
【００３０】
＜アンテナ選択処理＞
アンテナ選択処理は、通信状態である携帯電話機１００が行う処理であって、通信用ＬＳＩ２１０が通信に利用するアンテナを、第１アンテナ１１０と第２アンテナ１２０との間で動的に切り替える処理である。
図４は、アンテナ選択処理のフローチャートである。
【００３１】
アンテナ選択処理は、ＣＰＵ２００が、携帯電話機１００の状態が待ち受け状態から通信状態へと状態遷移したことを検知することで開始される。
携帯電話機１００の状態が待ち受け状態から通信状態へと状態遷移したことの検知は、例えば、ＣＰＵ２００において、通信に係る所定のアプリケーションプログラムが新たに起動されたことを検知すること等で実現できる。
【００３２】
アンテナ選択処理が開始されると、ＣＰＵ２００は、携帯電話機１００の状態が待ち受け状態である時期からの論理値“０”のアンテナ継続信号の出力を維持しながら、タイマ２６０を初期化して、所定期間Ｔ１（例えば１秒）の計測を開始し（ステップＳ４００）、ＲＳＳＩ値測定回路３７０から送られるＲＳＳＩ値が、メモリ２３０の記憶するＲＳＳＩ閾値よりも大きいか否かを調べる（ステップＳ４０５）。
【００３３】
ここでは、ＲＳＳＩ値測定回路３７０から送られるＲＳＳＩ値は、ＣＰＵ２００が論理値“０”のアンテナ選択信号を出力しているため、受信回路３３０が第１アンテナ１１０を利用して行う受信におけるＲＳＳＩ値（以下、「第１ＲＳＳＩ値」という。）となっている。
ステップＳ４０５の処理において、ＲＳＳＩ値測定回路３７０から送られる第１ＲＳＳＩ値が、メモリ２３０の記憶するＲＳＳＩ閾値よりも大きい場合に（ステップＳ４０５：Ｙｅｓ）、ＣＰＵ２００は、所定時間Ｔ１が経過するまで論理値“０”のアンテナ選択信号の出力を維持して、再びタイマ２６０を初期化して、新たな所定期間Ｔ１の計測を開始する（ステップＳ４１０）。
【００３４】
新たな所定期間Ｔ１の計測を開始すると、ＣＰＵ２００は、携帯電話機１００の状態が通信状態であるか否かを調べる（ステップＳ４１５）。
携帯電話機１００の状態が通信状態であるか否かは、例えば、ＣＰＵ２００において、通信に係る所定のアプリケーションプログラムが起動されているか否かを検知することで実現できる。
【００３５】
ステップＳ４１５の処理において、携帯電話機１００の状態が通信状態である場合に（ステップＳ４１５：Ｙｅｓ）、ＣＰＵ２００は、再びステップＳ４０５の処理に戻り、ステップＳ４０５以下の処理を続ける。
ステップＳ４０５の処理において、ＲＳＳＩ値測定回路３７０から送られる第１ＲＳＳＩ値が、メモリ２３０の記憶するＲＳＳＩ閾値よりも大きくない場合に（ステップＳ４０５：Ｎｏ）、ＣＰＵ２００は、出力するアンテナ選択信号の論理値を論理値“０”から論理値“１”に変更して、受信回路３３０が利用するアンテナを、第１アンテナ１１０から第２アンテナ１２０へと変更する（ステップＳ４２０）。そして、ＲＳＳＩ値測定回路３７０から送られるＲＳＳＩ値が、メモリ２３０の記憶するＲＳＳＩ閾値よりも大きいか否かを調べる（ステップＳ４２５）。
【００３６】
ここでは、ＣＰＵ２００が論理値“１”のアンテナ選択信号を出力しているため、ＲＳＳＩ値測定回路３７０から送られるＲＳＳＩ値は、受信回路３３０が第２アンテナ１２０を利用して行う受信におけるＲＳＳＩ値（以下、「第２ＲＳＳＩ値」という。）となっている。
ステップＳ４２５の処理において、ＲＳＳＩ値測定回路３７０から送られる第２ＲＳＳＩ値が、メモリ２３０の記憶するＲＳＳＩ閾値よりも大きい場合に（ステップＳ４２５：Ｙｅｓ）、ＣＰＵ２００は、所定時間Ｔ１が経過するまで論理値“１”のアンテナ選択信号の出力を維持して、再びタイマ２６０を初期化して、新たな所定期間Ｔ１の計測を開始する（ステップＳ４３０）。
【００３７】
新たな所定期間Ｔ１の計測を開始すると、ＣＰＵ２００は、携帯電話機１００の状態が通信状態であるか否かを調べる（ステップＳ４３５）。
ステップＳ４３５の処理において、携帯電話機１００の状態が通信状態である場合に（ステップＳ４３５：Ｙｅｓ）、ＣＰＵ２００は、ＲＳＳＩ値測定回路３７０から送られる第２ＲＳＳＩ値が、メモリ２３０の記憶するＲＳＳＩ閾値よりも大きいか否かを調べる（ステップＳ４５５）。
【００３８】
ステップＳ４５５の処理において、ＲＳＳＩ値測定回路３７０から送られる第２ＲＳＳＩ値が、メモリ２３０の記憶するＲＳＳＩ閾値よりも大きい場合に（ステップＳ４５５：Ｙｅｓ）、ＣＰＵ２００は、再びステップＳ４３０の処理に戻り、ステップＳ４３０以下の処理を続ける。
ステップＳ４２５の処理において、ＲＳＳＩ値測定回路３７０から送られる第２ＲＳＳＩ値が、メモリ２３０の記憶するＲＳＳＩ閾値よりも大きくない場合に（ステップＳ４２５：Ｎｏ）、ＣＰＵ２００は、直近のステップＳ４０５の処理において、メモリ２３０の記憶するＲＳＳＩ閾値との比較対象となった第１ＲＳＳＩ値の方が、本ステップＳ４２５の処理において、メモリ２３０の記憶するＲＳＳＩ閾値との比較対象となった第２ＲＳＳＩ値よりも大きいか否かを調べる（ステップＳ４４５）。
【００３９】
ステップＳ４４５の処理において、第１ＲＳＳＩ値の方が第２ＲＳＳＩ値よりも大きい場合に（ステップＳ４４５：Ｙｅｓ）、ＣＰＵ２００は、出力するアンテナ選択信号の論理値を論理値“１”から論理値“０”に変更して、受信回路３３０が利用するアンテナを、第２アンテナ１２０から第１アンテナ１１０へと変更する（ステップＳ４５０）。そして、ＣＰＵ２００は、ステップＳ４１０以降の処理を行う。
【００４０】
ステップＳ４４５の処理において、第１ＲＳＳＩ値の方が第２ＲＳＳＩ値よりも大きくない場合に（ステップＳ４４５：Ｎｏ）、ＣＰＵ２００は、ステップＳ４３０以降の処理を行う。
ステップＳ４５５の処理において、ＲＳＳＩ値測定回路３７０から送られる第２ＲＳＳＩ値が、メモリ２３０の記憶するＲＳＳＩ閾値よりも大きくない場合に（ステップＳ４５５：Ｎｏ）、ＣＰＵ２００は、出力するアンテナ選択信号の論理値を論理値“１”から論理値“０”に変更して、受信回路３３０が利用するアンテナを、第２アンテナ１２０から第１アンテナ１１０へと変更する（ステップＳ４６０）。そして、ＲＳＳＩ値測定回路３７０から送られる第１ＲＳＳＩ値が、メモリ２３０の記憶するＲＳＳＩ閾値よりも大きいか否かを調べる（ステップＳ４６５）。
【００４１】
ステップＳ４６５の処理において、ＲＳＳＩ値測定回路３７０から送られる第１ＲＳＳＩ値が、メモリ２３０の記憶するＲＳＳＩ閾値よりも大きい場合に（ステップＳ４６５：Ｙｅｓ）、ＣＰＵ２００は、ステップＳ４１０以降の処理を行う。
ステップＳ４６５の処理において、ＲＳＳＩ値測定回路３７０から送られる第１ＲＳＳＩ値が、メモリ２３０の記憶するＲＳＳＩ閾値よりも大きくない場合に（ステップＳ４６５：Ｎｏ）、ＣＰＵ２００は、本ステップＳ４６５の処理において、メモリ２３０の記憶するＲＳＳＩ閾値との比較対象となった第１ＲＳＳＩ値の方が、直近のステップＳ４５５の処理において、メモリ２３０の記憶するＲＳＳＩ閾値との比較対象となった第２ＲＳＳＩ値よりも大きいか否かを調べる（ステップＳ４７０）。
【００４２】
ステップＳ４７０の処理において、第１ＲＳＳＩ値の方が第２ＲＳＳＩ値よりも大きい場合に（ステップＳ４７０：Ｙｅｓ）、ＣＰＵ２００は、ステップＳ４１０以降の処理を行う。
ステップＳ４７０の処理において、第１ＲＳＳＩ値の方が第２ＲＳＳＩ値よりも大きくない場合に（ステップＳ４７０：Ｎｏ）、ＣＰＵ２００は、出力するアンテナ選択信号の論理値を論理値“０”から論理値“１”に変更して、受信回路３３０が利用するアンテナを、第１アンテナ１１０から第２アンテナ１２０へと変更する（ステップＳ４７５）。そして、ＣＰＵ２００は、ステップＳ４３０以降の処理を行う。
【００４３】
ステップＳ４３５の処理において、携帯電話機１００の状態が通信状態でない場合に（ステップＳ４３５：Ｎｏ）、ＣＰＵ２００は、出力するアンテナ選択信号の論理値を論理値“１”から論理値“０”に変更して、受信回路３３０が利用するアンテナを、第２アンテナ１２０から第１アンテナ１１０へと変更する（ステップＳ４５０）。
このステップＳ４５０の処理は、ＣＰＵ２００が出力するアンテナ選択信号の論理値を、携帯電話機１００が受け状態である場合に論理値“０”とするための処理である。
【００４４】
ステップＳ４１５の処理において、携帯電話機１００の状態が通信状態でない場合、又はステップＳ４５０の処理が終了した場合に、携帯電話機１００は、そのアンテナ選択処理を終了する。
＜考察＞
上記構成の携帯電話機１００は、筐体表面に第１アンテナ１１０と第２アンテナ１２０とを備えている。このため、外部の基地局等との通信を、筐体内部にアンテナを備える構成の携帯電話機に比べてより良好に行うことができる。
【００４５】
しかしながら、筐体表面にアンテナが配置されているため、携帯電話機１００を利用するユーザは、携帯電話機１００の利用中に、手等の人体の一部が、第１アンテナ１１０、又は第２アンテナ１２０に接触してしまうことがある。
一般に、人体は比較的大きな電気容量を持っている。このため、人体の一部がアンテナに接触してしまうと、そのアンテナは、アンテナ特性が比較的大幅に変化してしまうこととなる。
【００４６】
ユーザが、携帯電話機１００を用いて行う通信中に、通信用ＬＳＩ２１０が通信に利用しているアンテナに接触してしまうと、そのアンテナのアンテナ特性が比較的大幅に変化する。そして、このことによって、ＲＳＳＩ値測定回路３７０から出力されるＲＳＳＩ値が比較的大幅に低下して、メモリ２３０の記憶するＲＳＳＩ閾値よりも低くなる。すると、携帯電話機１００は、通信用ＬＳＩ２１０が通信に利用するアンテナを切り替える。
【００４７】
従って、この携帯電話機１００は、携帯電話機１００を用いて行う通信中に、通信用ＬＳＩ２１０が通信に利用しているアンテナの一方にユーザが接触してしまったとしても、利用するアンテナを他方のアンテナに切り替えて通信を継続することができる。
一方で、携帯電話機１００は、第１アンテナ１１０と第２アンテナ１２０とが、略直方体である筐体の中心点を中心として略点対象となる位置に配置されている。これは、第１アンテナ１１０と第２アンテナ１２０とを互いに離れた位置に配置することで、これらのアンテナにユーザの指等が同時に接触する可能性を比較的低く抑えるためである。
＜実施の形態２＞
＜概要＞
以下、本発明に係る携帯通信端末の一例として、実施の形態１に係る携帯電話機１００の一部を変形した第１変形携帯電話機について説明する。
【００４８】
実施の形態２に係る第１変形携帯電話機は、そのハードウエア構成が、実施の形態１に係る携帯電話機１００と同様の構成のものとなっているが、実行されるソフトウエアの一部が、実施の形態１に係る携帯電話機１００から変形されている。
実施の形態１に係る携帯電話機１００は、選択中のアンテナを利用して行う受信におけるＲＳＳＩ値がメモリ２３０の記憶するＲＳＳＩ閾値よりも大きくなくなった場合に、その後の通信に利用するアンテナを切り替えるという構成の例であった。これに対して、実施の形態２に係る第１変形携帯電話機は、第１アンテナ１１０を利用して行う受信における第１ＲＳＳＩ値と、第２アンテナ１２０を利用して行う受信における第２ＲＳＳＩ値とを定期的に比較して、その比較結果に基づいて、その後の通信に利用するアンテナを選択するという構成の例である。
【００４９】
以下、本実施の形態２に係る第１変形携帯電話機について、実施の形態１に係る携帯電話機１００との相違点を中心に、図面を参照しながら説明する。
＜構成＞
第１変形携帯電話機は、実施の形態１に係る携帯電話機１００と同様のハードウエア構成となっている。よって、ここでは説明を省略する。
【００５０】
また、以下では、第１変形携帯電話機のハードウエアを構成する各構成要素に係る説明は、実施の形態１における説明で用いた符号と同じものを用いて説明する。
＜動作＞
第１変形携帯電話機は、実施の形態１に係る携帯電話機１００の行うアンテナ選択処理に替えて、第１変形アンテナ選択処理を行う。
【００５１】
よって、ここでは、この第１変形アンテナ選択処理について説明する。
＜第１変形アンテナ選択処理＞
第１変形アンテナ選択処理は、実施の形態１に係るアンテナ選択処理と同様に、通信状態である第１変形携帯電話機が行う処理であって、通信用ＬＳＩ２１０が通信に利用するアンテナを、第１アンテナ１１０と第２アンテナ１２０との間で動的に切り替える処理である。
【００５２】
図５は、第１変形アンテナ選択処理のフローチャートである。
第１変形アンテナ選択処理は、実施の形態１に係るアンテナ選択処理と同様に、ＣＰＵ２００が、第１変形携帯電話機の状態が待ち受け状態から通信状態へと状態遷移したことを検知することで開始される。
アンテナ選択処理が開始されると、ＣＰＵ２００は、第１変形携帯電話機の状態が待ち受け状態である時期からの論理値“０”のアンテナ継続信号の出力を維持しながら、タイマ２６０を初期化して、所定期間Ｔ２（例えば１秒）の計測を開始し（ステップＳ５００）、ＲＳＳＩ値測定回路３７０から送られる第１ＲＳＳＩ値を一時的に記憶する（ステップＳ５１０）。そして、ＣＰＵ２００は、出力するアンテナ選択信号の論理値を論理値“０”から論理値“１”に変更して、受信回路３３０が利用するアンテナを、第１アンテナ１１０から第２アンテナ１２０へと変更して（ステップＳ５２０）、ＲＳＳＩ値測定回路３７０から送られる第２ＲＳＳＩ値を一時的に記憶する。
【００５３】
次に、ＣＰＵ２００は、一時的に記憶した第１ＲＳＳＩ値が一時的に記憶した第２ＲＳＳＩ値よりも大きいか否かを調べる（ステップＳ５４０）。
ステップＳ５４０の処理において、第１ＲＳＳＩ値が第２ＲＳＳＩ値よりも大きい場合に（ステップＳ５４０：Ｙｅｓ）、ＣＰＵ２００は、出力するアンテナ選択信号の論理値を論理値“１”から論理値“０”に変更して、受信回路３３０が利用するアンテナを、第２アンテナ１２０から第１アンテナ１１０へと変更する（ステップＳ５５０）。
【００５４】
ステップＳ５５０の処理が終了した場合、又はステップＳ５４０の処理において、第１ＲＳＳＩ値が第２ＲＳＳＩ値よりも大きくない場合に（ステップＳ５４０：Ｎｏ）、ＣＰＵ２００は、所定時間Ｔ２が経過するまで、出力するアンテナ選択信号の論理値を維持して、再びタイマ２６０を初期化して、新たな所定期間Ｔ１の計測を開始する（ステップＳ５６０）。
【００５５】
新たな所定期間Ｔ１の計測を開始すると、ＣＰＵ２００は、出力するアンテナ選択信号の論理値が“１”であるか否か、すなわち、現在選択中のアンテナが第２アンテナ１２０であるか否かを調べる（ステップＳ５７０）。
ステップＳ５８０の処理において、出力するアンテナ選択信号の論理値が“１”である場合に（ステップＳ５７０：Ｎｏ）、ＣＰＵ２００は、出力するアンテナ選択信号の論理値を論理値“１”から論理値“０”に変更して、受信回路３３０が利用するアンテナを、第２アンテナ１２０から第１アンテナ１１０へと変更する（ステップＳ５８０）。
【００５６】
ステップＳ５７０の処理において、出力するアンテナ選択信号の論理値が“１”でない場合、すなわち、現在選択中のアンテナが第１アンテナ１１０である場合（ステップＳ５７０：Ｎｏ）、又はステップＳ５８０の処理が終了した場合に、ＣＰＵ２００は、第１変形携帯電話機の状態が通信状態であるか否かを調べる（ステップＳ５９０）。
ステップＳ５９０の処理において、第１変形携帯電話機の状態が通信状態である場合に（ステップＳ５９０：Ｙｅｓ）、ＣＰＵ２００は、再びステップＳ５１０の処理に戻り、ステップＳ５１０以下の処理を続ける。
【００５７】
ステップＳ５９０の処理において、第１変形携帯電話機の状態が通信状態でない場合に（ステップＳ５９０：Ｎｏ）、第１変形携帯電話機は、その第１変形アンテナ選択処理を終了する。
なお、この第１変形アンテナ選択処理によると、ＣＰＵ２００は、第１変形アンテナ選択処理の終了時点で、論理値“０”となるアンテナ選択信号を出力する。
【００５８】
＜考察＞
実施の形態１において考察したように、ユーザが、第１変形携帯電話機を用いて行う通信中に、通信用ＬＳＩ２１０が通信に利用しているアンテナに接触してしまうと、そのアンテナのアンテナ特性が比較的大幅に変化する。
この第１変形携帯電話機は、周期的（所定時間Ｔ２おき）に、第１アンテナ１１０を利用して行う受信における第１ＲＳＳＩ値と、第２アンテナ１２０を利用して行う受信における第２ＲＳＳＩ値とを比較して、ＲＳＳＩ値が大きくなる方のアンテナを選択して、通信を継続する。
【００５９】
従って、この第１変形携帯電話機は、第１変形携帯電話機を用いて行う通信中に、通信用ＬＳＩ２１０が通信に利用しているアンテナの一方にユーザが接触してしまったとしても、利用するアンテナを他方のアンテナに切り替えて通信を継続することができる。
＜実施の形態３＞
＜概要＞
以下、本発明に係る携帯通信端末の一例として、実施の形態１に係る携帯電話機１００の一部を変形した第２変形携帯電話機６００について説明する。
【００６０】
実施の形態３に係る第２変形携帯電話機６００は、そのハードウエア構成の一部と、実行されるソフトウエアの一部とが、実施の形態１に係る携帯電話機１００から変形されている。
実施の形態１に係る携帯電話機１００は、第１アンテナ１１０と第２アンテナ１２０とを備え、これら２つのアンテナのうちのいずれか１つ選択して通信を行うという構成の例であった。これに対して、実施の形態３に係る第２変形携帯電話機６００は、第１アンテナ６１０と第２アンテナ６２０と第３アンテナ６３０とを備え、これら３つのアンテナのうちのいずれか１つを選択して通信を行うという構成の例である。
【００６１】
以下、本実施の形態３に係る第２変形携帯電話機６００について、実施の形態１に係る携帯電話機１００との相違点を中心に、図面を参照しながら説明する。
＜構成＞
図６は、第２変形携帯電話機６００の斜視図である。同図では、図１と同様に、実際には視認することができない部分についても、破線を用いてあたかも視認することができるかのように表示されている。
【００６２】
同図に示されるように、第２変形携帯電話機６００は、実施の形態１に係る携帯電話機１００が備える第１アンテナ１１０と第２アンテナ１２０との替わりに、筐体の主平面の表面左上隅に第１アンテナ６１０と、筐体の下側面の表面右手前に第２アンテナ６２０と、裏面の表面右端中央に第３アンテナ６３０とを備える。
図７は、第２変形携帯電話機６００の回路図である。
【００６３】
同図に示されるように、第２変形携帯電話機６００は、実施の形態１に係る携帯電話機１００から、ＣＰＵ２００がＣＰＵ７００に変更され、通信用ＬＳＩ２１０が通信用ＬＳＩ７１０に変更され、第１アンテナ１１０と第２アンテナ１２０とが第１アンテナ６１０と第２アンテナ６２０と第３アンテナ６３０とに変更されるように変形されている。
通信用ＬＳＩ７１０は、実施の形態１に係る通信用ＬＳＩ２１０から、その一部が変形されたものであり、ＣＰＵ７００と第１アンテナ６１０と第２アンテナ６２０と第３アンテナ６３０に接続され、ＣＰＵ７００によって制御され、第１アンテナ６１０、第２アンテナ６２０、又は第３アンテナ６３０を利用して、１．９ＧＨｚ帯の電磁波を用いて外部の基地局等と通信する機能と、受信した受信信号の電界強度を測定する機能とを有する。
【００６４】
図８は、通信用ＬＳＩ７１０の主要な構成要素を示す回路図である。
同図に示されるように、通信用ＬＳＩ７１０は、実施の形態１に係る通信用ＬＳＩ２１０から、セレクタ３１０がセレクタ８１０に変更されるように変形されている。
セレクタ８１０は、実施の形態１に係るセレクタ３１０から、その一部が変形されたものであり、第１アンテナ６１０と第２アンテナ６２０と第３アンテナ６３０とＣＰＵ７００と送受信切替スイッチ３２０とに接続され、ＣＰＵ７００から出力される変形アンテナ選択信号が論理値“０”の場合に第１アンテナ６１０と送受信切替スイッチ３２０とを電気的に接続する状態となり、変形アンテナ選択信号が論理値“１”の場合に第２アンテナ６２０と送受信切替スイッチ３２０とを電気的に接続する状態となり、変形アンテナ選択信号が論理値“２”の場合に第３アンテナ６３０と送受信切替スイッチ３２０とを電気的に接続する状態となる機能を有する。
【００６５】
再び図７に戻って、第２変形携帯電話機６００の構成要素の説明を続ける。
第１アンテナ６１０は、受信回路３３０と送信回路３５０とが行う通信に利用される、ステンレス製薄膜からなるモノポールアンテナであって、セレクタ８１０に接続される。そして、この第１アンテナ６１０は、その長さが１．９ＧＨｚ帯電磁波の波長の略１／４となっていて、第３変形携帯電話機６００の筐体主平面の表面に配置される。
【００６６】
第２アンテナ６２０は、受信回路３３０と送信回路３５０とが行う通信に利用される、ステンレス製薄膜からなるモノポールアンテナであって、セレクタ８１０に接続される。そして、この第２アンテナ６２０は、第１アンテナ６１０と同様に、その長さが１．９ＧＨｚ帯電磁波の波長の略１／４となっていて、第３変形携帯電話機６００の筐体下側面の表面に配置される。
【００６７】
第３アンテナ６３０は、受信回路３３０と送信回路３５０とが行う通信に利用される、ステンレス製薄膜からなるモノポールアンテナであって、セレクタ８１０に接続される。そして、この第３アンテナ６３０は、第１アンテナ６１０と同様に、その長さが１．９ＧＨｚ帯電磁波の波長の略１／４となっていて、第３変形携帯電話機６００の筐体裏面の表面に配置される。
【００６８】
ＣＰＵ７００は、実施の形態１に係るＣＰＵ２００から、その一部が変形されたものであり、通信用ＬＳＩ７１０とタッチパネルコントローラ２２０とメモリ２３０とレシーバ２４０とマイク２５０とタイマ２６０とに接続され、メモリ２３０に記憶されているプログラムを実行することとで、通信用ＬＳＩ７１０とタッチパネルコントローラ２２０とタイマ２６０とを制御して、実施の形態１に係る携帯電話機制御機能と初期状態設定機能とに加えて、実施の形態１に係るアンテナ選択信号生成機能の一部が変形された第１変形アンテナ選択信号生成機能を有する。
【００６９】
第１変形アンテナ選択信号生成機能：ＲＳＳＩ値測定回路３７０から送られるＲＳＳＩ値に基づいて、論理値“０”、“１”、又は“２”のいずれかとなる第１変形アンテナ選択信号を生成し、生成した第１変形アンテナ選択信号をセレクタ８１０に出力する機能。この第１変形アンテナ選択信号生成機能は、ＣＰＵ７００が後述の第２変形アンテナ選択処理を実行することで実現される。なお、第２変形アンテナ選択処理については、後程＜第２変形アンテナ選択処理＞の項目において、フローチャートを用いて詳細に説明する。
【００７０】
＜動作＞
第２変形携帯電話機６００は、実施の形態１に係る携帯電話機１００の行うアンテナ選択処理に替えて、第２変形アンテナ選択処理を行う。
よって、ここでは、この第２変形アンテナ選択処理について説明する。
＜第２変形アンテナ選択処理＞
第２変形アンテナ選択処理は、通信状態である第２変形携帯電話機６００が行う処理であって、通信用ＬＳＩ７１０が通信に利用するアンテナを、第１アンテナ６１０と第２アンテナ６２０と第３アンテナ６３０との間で動的に切り替える処理である。
【００７１】
図９は、第２変形アンテナ選択処理のフローチャートである。
第２変形アンテナ選択処理は、ＣＰＵ７００が、第２変形携帯電話機６００の状態が待ち受け状態から通信状態へと状態遷移したことを検知することで開始される。
第２変形アンテナ選択処理が開始されると、ＣＰＵ７００は、第２変形携帯電話機６００の状態が待ち受け状態である時期からの論理値“０”のアンテナ継続信号の出力を維持しながら、タイマ２６０を初期化して、所定期間Ｔ３（例えば１秒）の計測を開始して（ステップＳ９００）、初期選択処理を開始する（ステップＳ９１０）。
【００７２】
初期選択処理は、第２変形アンテナ選択処理の開始後最初に行うアンテナの選択処理であって、第１アンテナ６１０と第２アンテナ６２０と第３アンテナ６３０との３つのアンテナから、その後の通信に利用するアンテナを選択する処理である。
図１０は、初期選択処理のフローチャートである。
初期選択処理が開始されると、ＣＰＵ７００は、ＲＳＳＩ値測定回路３７０から送られる第１ＲＳＳＩ値が、メモリ２３０の記憶するＲＳＳＩ閾値よりも大きいか否かを調べる（ステップＳ１０００）。
【００７３】
ステップＳ１０００の処理において、ＲＳＳＩ値測定回路から送られてくる第１ＲＳＳＩ値が、メモリ２３０の記憶するＲＳＳＩ閾値よりも大きくない場合に（ステップＳ１０００：Ｎｏ）、ＣＰＵ７００は、出力する変形アンテナ選択信号の論理値を論理値“０”から論理値“１”に変更して、受信回路３３０が利用するアンテナを、第１アンテナ６１０から第２アンテナ６２０へと変更する（ステップＳ１０１０）。そして、ＲＳＳＩ値測定回路３７０から送られる第２ＲＳＳＩ値が、メモリ２３０の記憶するＲＳＳＩ閾値よりも大きいか否かを調べる（ステップＳ１０２０）。
【００７４】
ステップＳ１０２０の処理において、ＲＳＳＩ値測定回路から送られてくる第２ＲＳＳＩ値が、メモリ２３０の記憶するＲＳＳＩ閾値よりも大きくない場合に（ステップＳ１０２０：Ｎｏ）、ＣＰＵ７００は、出力する変形アンテナ選択信号の論理値を論理値“１”から論理値“２”に変更して、受信回路３３０が利用するアンテナを、第２アンテナ６２０から第３アンテナ６３０へと変更する（ステップＳ１０３０）。そして、ＲＳＳＩ値測定回路３７０から送られるＲＳＳＩ値が、メモリ２３０の記憶するＲＳＳＩ閾値よりも大きいか否かを調べる（ステップＳ１０４０）。
【００７５】
ここでは、ＣＰＵ７００が論理値“２”の変形アンテナ選択信号を出力しているため、ＲＳＳＩ値測定回路３７０から送られるＲＳＳＩ値は、受信回路３３０が第３アンテナ６３０を利用して行う受信におけるＲＳＳＩ値（以下、「第３ＲＳＳＩ値」という。）となっている。
ステップＳ１０４０の処理において、ＲＳＳＩ値測定回路から送られてくる第３ＲＳＳＩ値が、メモリ２３０の記憶するＲＳＳＩ閾値よりも大きくない場合に（ステップＳ１０４０：Ｎｏ）、ＣＰＵ７００は、ステップＳ１０００の処理においてメモリ２３０の記憶するＲＳＳＩ閾値との比較対象となった第１ＲＳＳＩ値と、ステップＳ１０２０の処理においてメモリ２３０の記憶するＲＳＳＩ閾値との比較対象となった第２ＲＳＳＩ値と、ステップＳ１０４０の処理においてメモリ２３０の記憶するＲＳＳＩ閾値との比較対象となった第３ＲＳＳＩ値との比較を行い、最大のＲＳＳＩ値となるときに出力していた変形アンテナ選択信号の論理値を、新たな変形アンテナ選択信号の論理値として出力する。すなわち、最大のＲＳＳＩ値となるときに選択していたアンテナを選択する（ステップＳ１０５０）。
【００７６】
ステップＳ１０００の処理において、ＲＳＳＩ値測定回路から送られてくる第１ＲＳＳＩ値が、メモリ２３０の記憶するＲＳＳＩ閾値よりも大きい場合（ステップＳ１０００：Ｙｅｓ）、ステップＳ１０２０の処理において、ＲＳＳＩ値測定回路から送られてくる第２ＲＳＳＩ値が、メモリ２３０の記憶するＲＳＳＩ閾値よりも大きい場合（ステップＳ１０２０：Ｙｅｓ）、ステップＳ１０４０の処理において、ＲＳＳＩ値測定回路から送られてくる第３ＲＳＳＩ値が、メモリ２３０の記憶するＲＳＳＩ閾値よりも大きい場合に（ステップＳ１０４０：Ｙｅｓ）、又はステップＳ１０５０の処理が終了した場合に、ＣＰＵ７００は、その初期選択処理を終了する。
【００７７】
再び図９に戻って、第２変形アンテナ選択処理の説明を続ける。
ステップＳ９１０の初期選択処理が終了すると、ＣＰＵ７００は、所定時間Ｔ３が経過するまで出力する変形アンテナ選択信号の論理値を維持して、再びタイマ２６０を初期化して、新たな所定期間Ｔ３の計測を開始する（ステップＳ９２０）。
新たな所定期間Ｔ３の計測を開始すると、ＣＰＵ７００は、第２変形携帯電話機６００の状態が通信状態であるか否かを調べる（ステップＳ９３０）。
【００７８】
ステップＳ９３０の処理において、第２変形携帯電話機６００の状態が通信状態である場合に（ステップＳ９３０：Ｙｅｓ）、ＣＰＵ７００は、ＲＳＳＩ値測定回路３７０から送られるＲＳＳＩ値が、メモリ２３０の記憶するＲＳＳＩ閾値以下であるか否かを調べる（ステップＳ９４０）。
ステップＳ９４０の処理において、ＲＳＳＩ値測定回路３７０から送られるＲＳＳＩ値が、メモリ２３０の記憶するＲＳＳＩ閾値以下でない場合に（ステップＳ９４０：Ｎｏ）、ＣＰＵ７００は、再びステップＳ９２０の処理に戻り、ステップＳ９２０以下の処理を続ける。
【００７９】
ステップＳ９４０の処理において、ＲＳＳＩ値測定回路３７０から送られるＲＳＳＩ値が、メモリ２３０の記憶するＲＳＳＩ閾値以下である場合に（ステップＳ９４０：Ｙｅｓ）、ＣＰＵ７００は、出力中の変形アンテナ選択信号の論理値が“０”であるか否か、すなわち、選択中のアンテナが第１アンテナ６１０であるか否かを調べる（ステップＳ９５０）。
【００８０】
ステップＳ９５０の処理において、選択中のアンテナが第１アンテナ６１０である場合に（ステップＳ９５０：Ｙｅｓ）、ＣＰＵ７００は、第１選択処理を開始する（ステップＳ９７０）。
第１選択処理は、第１ＲＳＳＩ値がメモリ２３０の記憶するＲＳＳＩ閾値以下である場合において、第１アンテナ６１０と第２アンテナ６２０と第３アンテナ６３０との３つのアンテナから、その後の通信に利用するアンテナを決定して選択する処理である。
【００８１】
ステップＳ９５０の処理において、選択中のアンテナが第１アンテナ６１０でない場合に（ステップＳ９５０：Ｎｏ）、ＣＰＵ７００は、出力中の変形アンテナ選択信号の論理値が“１”であるか否か、すなわち、選択中のアンテナが第２アンテナ６２０であるか否かを調べる（ステップＳ９６０）。
ステップＳ９６０の処理において、選択中のアンテナが第２アンテナ６１０である場合に（ステップＳ９６０：Ｙｅｓ）、ＣＰＵ７００は、第２選択処理を開始する（ステップＳ９８０）。
【００８２】
第２選択処理は、第２ＲＳＳＩ値がメモリ２３０の記憶するＲＳＳＩ閾値以下である場合において、第１アンテナ６１０と第２アンテナ６２０と第３アンテナ６３０との３つのアンテナから、その後の通信に利用するアンテナを決定して選択する処理である。
ステップＳ９６０の処理において、選択中のアンテナが第２アンテナ６２０でない場合に（ステップＳ９６０：Ｎｏ）、ＣＰＵ７００は、第３選択処理を開始する（ステップＳ９９０）。
【００８３】
第３選択処理は、第３ＲＳＳＩ値がメモリ２３０の記憶するＲＳＳＩ閾値以下である場合において、第１アンテナ６１０と第２アンテナ６２０と第３アンテナ６３０との３つのアンテナから、その後の通信に利用するアンテナを決定して選択する処理である。
以下、第１選択処理、第２選択処理、及び第３選択処理について説明する。
図１１は、第１選択処理のフローチャートである。
【００８４】
第１選択処理が開始されると、ＣＰＵ７００は、出力する変形アンテナ選択信号の論理値を論理値“０”から論理値“１”に変更して、受信回路３３０が利用するアンテナを、第１アンテナ６１０から第２アンテナ６２０へと変更する（ステップＳ１１００）。そして、ＲＳＳＩ値測定回路３７０から送られる第２ＲＳＳＩ値が、メモリ２３０の記憶するＲＳＳＩ閾値よりも大きいか否かを調べる（ステップＳ１１１０）。
【００８５】
ステップＳ１１１０の処理において、ＲＳＳＩ値測定回路から送られてくる第２ＲＳＳＩ値が、メモリ２３０の記憶するＲＳＳＩ閾値よりも大きくない場合に（ステップＳ１１１０：Ｎｏ）、ＣＰＵ７００は、出力する変形アンテナ選択信号の論理値を論理値“１”から論理値“２”に変更して、受信回路３３０が利用するアンテナを、第２アンテナ６２０から第３アンテナ６３０へと変更する（ステップＳ１１２０）。そして、ＲＳＳＩ値測定回路３７０から送られる第３ＲＳＳＩ値が、メモリ２３０の記憶するＲＳＳＩ閾値よりも大きいか否かを調べる（ステップＳ１１３０）。
【００８６】
ステップＳ１１３０の処理において、ＲＳＳＩ値測定回路から送られてくる第３ＲＳＳＩ値が、メモリ２３０の記憶するＲＳＳＩ閾値よりも大きくない場合に（ステップＳ１１３０：Ｎｏ）、ＣＰＵ７００は、直近のステップＳ９３０の処理においてメモリ２３０の記憶するＲＳＳＩ閾値との比較対象となった第１ＲＳＳＩ値と、直近のステップＳ１１１０の処理においてメモリ２３０の記憶するＲＳＳＩ閾値との比較対象となった第２ＲＳＳＩ値と、直近のステップＳ１１２０の処理においてメモリ２３０の記憶するＲＳＳＩ閾値との比較対象となった第３ＲＳＳＩ値との比較を行い、最大のＲＳＳＩ値となるときに出力していた変形アンテナ選択信号の論理値を、新たな変形アンテナ選択信号の論理値として出力する。すなわち、最大のＲＳＳＩ値となるときに選択していたアンテナを選択する（ステップＳ１１４０）。
【００８７】
ステップＳ１１１０の処理において、ＲＳＳＩ値測定回路から送られてくる第２ＲＳＳＩ値が、メモリ２３０の記憶するＲＳＳＩ閾値よりも大きい場合（ステップＳ１１１０：Ｙｅｓ）、ステップＳ１１１０の処理において、ＲＳＳＩ値測定回路から送られてくる第３ＲＳＳＩ値が、メモリ２３０の記憶するＲＳＳＩ閾値よりも大きい場合（ステップＳ１１３０：Ｙｅｓ）、又はステップＳ１１４０の処理が終了した場合に、ＣＰＵ７００は、その第１選択処理を終了する。
【００８８】
図１２は、第２選択処理のフローチャートである。
同図に示されるように、第２選択処理は、第１選択処理から、第２アンテナ６２０を第３アンテナ６３０に読み替えて、第３アンテナ６３０を第１アンテナ６１０に読み替えて、第２ＲＳＳＩ値を第３ＲＳＳＩ値に読み替えて、第３ＲＳＳＩ値を第１ＲＳＳＩ値に読み替えたものと同等の処理となっている。
【００８９】
よってここでは、その説明を省略する。
図１３は、第３選択処理のフローチャートである。
同図に示されるように、第３選択処理は、第１選択処理から、第２アンテナ６２０を第１アンテナ６１０に読み替えて、第３アンテナ６３０を第２アンテナ６２０に読み替えて、第２ＲＳＳＩ値を第１ＲＳＳＩ値に読み替えて、第３ＲＳＳＩ値を第２ＲＳＳＩ値に読み替えたものと同等の処理となっている。
【００９０】
よってここでは、その説明を省略する。
再び図９に戻って、第２変形アンテナ選択処理の説明を続ける。
ステップＳ９７０の第１選択処理が終了した場合、ステップＳ９８０の第２選択処理が終了した場合、又はステップＳ９９０の第３選択処理が終了した場合に、ＣＰＵ７００は、再びステップＳ９２０の処理に戻って、ステップＳ９２０以下の処理を行う。
【００９１】
ステップＳ９３０の処理において、第２変形携帯電話機６００の状態が通信状態でない場合に（ステップＳ９３０：Ｎｏ）、第２変形携帯電話機６００は、その第２変形アンテナ選択処理を終了する。
＜考察＞
この第２変形携帯電話機６００は、３つのアンテナを備える。そして、ユーザが、第２変形携帯電話機６００を用いて行う通信中に、これら３つのアンテナのうちの２つのアンテナに同時に接触してしまっても、接触されていないアンテナを利用して通信を継続することができる。
＜実施の形態４＞
＜概要＞
以下、本発明に係る携帯通信端末の一例として、実施の形態１に係る携帯電話機１００の一部を変形した第３変形携帯電話機について説明する。
【００９２】
実施の形態４に係る第３変形携帯電話機は、そのハードウエア構成の一部と、実行されるソフトウエアの一部とが、実施の形態１に係る携帯電話機１００から変形されている。
実施の形態１に係る携帯電話機１００は、ＲＳＳＩ値測定回路３７０の出力するＲＳＳＩ値に応じて、利用するアンテナを切り替えるという構成の例であった。これに対して実施の形態４に係る第３変形携帯電話機は、ＲＳＳＩ値測定回路３７０の替わりに送信回路３５０の消費電流を測定する電流測定回路１５７０を備え、この電流測定回路１５７０の測定する電流に応じて、利用するアンテナを切り替えるという構成の例である。
【００９３】
一般に、携帯電話機と通信する基地局は、通信相手の携帯電話機から受信する信号の電界強度が弱くなると、その携帯電話機に対して、送信出力を大きくする旨の信号を出力する。そして、携帯電話機は、送信出力を大きくする旨の信号を受信すると、送信回路の出力を大きくするために、送信回路における送信信号の増幅率を増加させる。そして、このことによって、送信回路の消費電流が増加することとなる。
【００９４】
以下、本実施の形態４に係る第３変形携帯電話機について、実施の形態１に係る携帯電話機１００との相違点を中心に、図面を参照しながら説明する。
＜構成＞
図１４は、第３変形携帯電話機の回路図である。
同図に示されるように、第３変形携帯電話機は、実施の形態１に係る携帯電話機１００から、ＣＰＵ２００がＣＰＵ１４００に変更され、通信用ＬＳＩ２１０が通信用ＬＳＩ１４１０に変更されるように変形されている。
【００９５】
通信用ＬＳＩ１４１０は、実施の形態１に係る通信用ＬＳＩ２１０から、その一部が変形されたものであり、ＣＰＵ１４００と第１アンテナ１１０と第２アンテナ１２０とに接続され、ＣＰＵ１４００によって制御され、第１アンテナ１１０、又は第２アンテナ１２０を利用して、１．９ＧＨｚ帯の電磁波を用いて外部の基地局等と通信する機能と、内蔵する送信回路３５０の消費電流を測定する機能とを有する。
【００９６】
図１５は、通信用ＬＳＩ１４１０の主要な構成要素を示す回路図である。
同図に示されるように、通信用ＬＳＩ１４１０は、実施の形態１に係る通信用ＬＳＩ２１０から、ＲＳＳＩ値測定回路３７０が削除され、電流測定回路１５７０が追加されるように変形されている。
電流測定回路１５７０は、送信回路３５０とＣＰＵ１４００とに接続され、送信回路３５０の消費電流を測定する機能と、測定した消費電流を消費電流値としてＣＰＵ１４００に送る機能とを有する。
【００９７】
再び図１４に戻って、第３変形携帯電話機の構成要素の説明を続ける。
ＣＰＵ１４００は、実施の形態１に係るＣＰＵ２００から、その一部が変形されたものであり、通信用ＬＳＩ１４１０とタッチパネルコントローラ２２０とメモリ２３０とレシーバ２４０とマイク２５０とタイマ２６０とに接続され、メモリ２３０に記憶されているプログラムを実行することとで、通信用ＬＳＩ１４１０とタッチパネルコントローラ２２０とタイマ２６０とを制御して、実施の形態１に係る携帯電話機制御機能と初期状態設定機能とに加えて、実施の形態１に係るアンテナ選択信号生成機能の一部が変形された第２変形アンテナ選択信号生成機能を有する。
【００９８】
第２変形アンテナ選択信号生成機能：電流測定回路１５７０から送られる消費電流値に基づいて、論理値“０”、又は“１”のいずれかとなる第２変形アンテナ選択信号を生成し、生成した第２変形アンテナ選択信号をセレクタ３１０に出力する機能。この第２変形アンテナ選択信号生成機能は、ＣＰＵ１４００が後述の第３変形アンテナ選択処理を実行することで実現される。なお、第３変形アンテナ選択処理については、後程＜第３変形アンテナ選択処理＞の項目において、フローチャートを用いて詳細に説明する。
【００９９】
また、メモリ２３０は、ＲＳＳＩ閾値の替わりに、所定の消費電流の閾値（以下、「消費電流閾値」と呼ぶ。）を記憶する。
＜動作＞
第３変形携帯電話機は、実施の形態１に係る携帯電話機１００の行うアンテナ選択処理に替えて、第３変形アンテナ選択処理を行う。
【０１００】
よって、ここでは、この第３変形アンテナ選択処理について説明する。
＜第３変形アンテナ選択処理＞
第３変形アンテナ選択処理は、通信状態である第３変形携帯電話機が行う処理であって、通信用ＬＳＩ１４１０が通信に利用するアンテナを、第１アンテナ１１０と第２アンテナ１２０との間で動的に切り替える処理である。
【０１０１】
図１６は、第３変形アンテナ選択処理のフローチャートである。
同図に示されるように、第３変形アンテナ選択処理は、実施の形態１に係るアンテナ選択処理（図４参照）の一部が変形された処理である。具体的には、ステップＳ４０５の処理がステップＳ１６０５の処理に変更され、ステップＳ４２５の処理がステップＳ１６２５の処理に変更され、ステップＳ４４５の処理がステップＳ１６４５の処理に変更され、ステップＳ４５５の処理がステップＳ１６５５の処理に変更され、ステップＳ４６５の処理がステップＳ１６６５の処理に変更され、ステップＳ４７０の処理がステップＳ１６７０の処理に変更されるように変形されている。
【０１０２】
ここでは、これら変更された処理についてのみ説明を行う。
ステップＳ１６０５の処理は、ＣＰＵ１４００が、電流測定回路１５７０から送られてくる第１消費電流値がメモリ２３０の記憶する消費電流閾値以下であるか否かを調べる処理である。ここで、第１消費電流値とは、ＣＰＵ１４００が論理値“０”の第２変形アンテナ選択信号を出力している場合において、電流測定回路１５７０から送られてくる消費電流値のことである。
【０１０３】
ステップＳ１６２５の処理は、ＣＰＵ１４００が、電流測定回路１５７０から送られてくる第２消費電流値がメモリ２３０の記憶する消費電流閾値以下であるか否かを調べる処理である。ここで、第２消費電流値とは、ＣＰＵ１４００が論理値“１”の第２変形アンテナ選択信号を出力している場合において、電流測定回路１５７０から送られてくる消費電流値のことである。
【０１０４】
ステップＳ１６４５の処理は、ＣＰＵ１４００が、直近のステップＳ１６０５の処理において、メモリ２３０の記憶する消費電流閾値との比較対象となった第１消費電流値の方が、本ステップＳ１６２５の処理において、メモリ２３０の記憶する消費電流閾値との比較対象となった第２消費電流値以下であるか否かを調べる処理である。
ステップＳ１６５５の処理は、ＣＰＵ１４００が、電流測定回路１５７０から送られてくる第２消費電流値がメモリ２３０の記憶する消費電流閾値以下であるか否かを調べる処理である。
【０１０５】
ステップＳ１６６５の処理は、ＣＰＵ１４００が、電流測定回路１５７０から送られてくる第１消費電流値がメモリ２３０の記憶する消費電流閾値以下であるか否かを調べる処理である。
ステップＳ１６７０の処理は、ＣＰＵ１４００が、直近のステップＳ１６６５の処理において、メモリ２３０の記憶する消費電流閾値との比較対象となった第１消費電流値の方が、本ステップＳ１６５５の処理において、メモリ２３０の記憶する消費電流閾値との比較対象となった第２消費電流値以下であるか否かを調べる処理である。
【０１０６】
＜考察＞
上記構成の第３変形携帯電話機は、ユーザが、第３変形携帯電話機を用いて行う通信中に、通信用ＬＳＩ２１０が通信に利用しているアンテナに接触してしまうと、そのアンテナのアンテナ特性が比較的大幅に変化する。そして、このことによって、第３変形携帯電話機と通信する基地局における受信信号の電界強度が弱くなる。このため、その基地局は、第３変形携帯電話機に対して、送信出力を大きくする旨の信号を出力する。すると、第３変形携帯電話機は、送信回路３５０の増幅率を増加させる。送信回路３５０の増幅率が増加すると、送信回路３５０の消費電流が大きくなるため、電流測定回路１５７０の出力する消費電流値も大きくなる。そして、そのうち、電流測定回路１５７０の出力する消費電流値がメモリ２３０の記憶する消費電流閾値よりも大きくなる。すると、第３変形携帯電話機は、通信用ＬＳＩ２１０が通信に利用するアンテナを切り替える。
【０１０７】
従って、この第３変形携帯電話機は、第３変形携帯電話機を用いて行う通信中に、通信用ＬＳＩ２１０が通信に利用しているアンテナの一方にユーザが接触してしまったとしても、利用するアンテナを他方のアンテナに切り替えて通信を継続することができる。
＜実施の形態５＞
＜概要＞
以下、本発明に係る携帯通信端末の一例として、実施の形態１に係る携帯電話機１００の一部を変形した第４変形携帯電話機１７００について説明する。
【０１０８】
実施の形態５に係る第４変形携帯電話機１７００は、そのハードウエア構成の一部と、実行されるソフトウエアの一部とが、実施の形態１に係る携帯電話機１００から変形されている。
実施の形態１に係る携帯電話機１００は、１．９ＧＨｚ帯の信号を利用して外部の基地局等と通信する携帯電話機であった。これに対して、実施の形態５に係る第４変形携帯電話機１７００は、さらに、８００ＭＨｚ帯の信号を利用して外部の基地局等と通信し、Bluetooth（登録商標：以下、単に「ＢＴ」と呼ぶ。）規格の周波数帯の信号を利用して外部のＢＴ機器と通信し、Global Positioning System（以下、単に「ＧＰＳ」と呼ぶ。）が利用する周波数帯の信号を利用して外部のＧＰＳ衛星からの信号を受信する。
【０１０９】
以下、本実施の形態５に係る第４変形携帯電話機１７００について、実施の形態１に係る携帯電話機１００との相違点を中心に、図面を参照しながら説明する。
＜構成＞
図１７は、第４変形携帯電話機１７００の斜視図である。同図では、図１と同様に、実際には視認することができない部分についても、破線を用いてあたかも視認することができるかのように表示されている。
【０１１０】
同図に示されるように、第４変形携帯電話機１７００は、実施の形態１に係る携帯電話機１００が備える第１アンテナ１１０と第２アンテナ１２０とに加えて、筐体の右側面の表面下手前に第３アンテナ１７１３と、筐体の左側面の表面上奥に第４アンテナ１７１４と、筐体の主平面の表面下左隅に第５アンテナ１７１５と、筐体の裏面の表面上右隅に第６アンテナ１７１６と、筐体の上側面の表面手前右隅に第７アンテナ１７１７と、筐体の下側面の表面奥左隅に第８アンテナ１７１８とを備える。
【０１１１】
これらのうち、第３アンテナ１７１３と第４アンテナ１７１４と、第５アンテナ１７１５と第６アンテナ１７１６と、及び第７アンテナ１７１７と第８アンテナ１７１８とは、それぞれ、略直方体である筐体の中心点を中心として略点対象となる位置に配置されている。
図１８は、第４変形携帯電話機１７００の回路図である。
【０１１２】
同図に示されるように、第４変形携帯電話機１７００は、実施の形態１に係る携帯電話機１００から、８００ＭＨｚ帯通信用ＬＳＩ１８１１とＢＴ通信用ＬＳＩ１８１２とＧＰＳ通信用ＬＳＩ１８１３と第３アンテナ１７１３と第４アンテナ１７１４と第５アンテナ１７１５と第６アンテナ１７１６と第８アンテナ１７１８とが追加され、ＣＰＵ２００がＣＰＵ１８００に変更されるように変形されている。
【０１１３】
８００ＭＨｚ帯通信用ＬＳＩ１８１１は、実施の形態１に係る通信用ＬＳＩ２１０から、その一部が変形されたものであり、ＣＰＵ１８００と第３アンテナ１７１３と第４アンテナ１７１４とに接続され、ＣＰＵ１８００によって制御され、第３アンテナ１７１３又は第４アンテナ１７１４を利用して、８００ＭＨｚ帯の電磁波を用いて外部の基地局等と通信する機能と、受信した受信信号の電界強度を測定する機能とを有する。
【０１１４】
ＢＴ通信用ＬＳＩ１８１２は、実施の形態１に係る通信用ＬＳＩ２１０から、その一部が変形されたものであり、ＣＰＵ１８００と第５アンテナ１７１５と第６アンテナ１７１６とに接続され、ＣＰＵ１８００によって制御され、第５アンテナ１７１５又は第６アンテナ１７１６を利用して、ＢＴ規格の周波数帯の電磁波を用いて外部のＢＴ機器と通信する機能と、受信した受信信号の電界強度を測定する機能とを有する。
【０１１５】
ＧＰＳ通信用ＬＳＩ１８１３は、実施の形態１に係る通信用ＬＳＩ２１０から、その一部が変形されたものであり、ＣＰＵ１８００と第７アンテナ１７１７と第８アンテナ１７１８とに接続され、ＣＰＵ１８００によって制御され、第７アンテナ１７１７又は第８アンテナ１７１８を利用して、ＧＰＳが利用する周波数帯の信号を利用してＧＰＳ衛星からの信号を受信する機能と、受信した受信信号の電界強度を測定する機能とを有する。
【０１１６】
図１９は、８００ＭＨｚ帯通信用ＬＳＩ１８１１の主要な構成要素を示す回路図である。
同図に示されるように、８００ＭＨｚ帯通信用ＬＳＩ１８１１は、実施の形態１に係る通信用ＬＳＩ２１０から、受信回路３３０が受信回路１９３０に変更され、復調回路３４０が復調回路１９４０に変更され、送信回路３５０が送信回路１９５０に変更され、変調回路３６０が変調回路１９６０に変更されるように変形されている。
【０１１７】
受信回路１９３０は、送受信切替スイッチ３２０と復調回路１９４０とＲＳＳＩ値測定回路３７０とに接続され、第３アンテナ１７１３又は第４アンテナ１７１４を利用して外部の基地局等から送信される８００ＭＨｚ帯の信号を受信する機能と、受信した受信信号を復調回路１９４０に送る機能とを有する。
復調回路１９４０は、受信回路１９３０とＣＰＵ１８００とに接続され、受信回路１９３０から送られてきた受信信号を復調する機能と、復調した信号をＣＰＵ１８００に送る機能とを有する。
【０１１８】
送信回路１９５０は、送受信切替スイッチ３２０と変調回路１９６０とに接続され、変調回路１９６０から送られてきた信号を、第３アンテナ１７１３又は第４アンテナ１７１４を利用して外部の基地局等へ送信する機能を有する。
変調回路１９６０は、送信回路１９５０とＣＰＵ１８００とに接続され、ＣＰＵ１８００から送られてきた信号を、８００ＭＨｚ帯の信号に変調する機能と、変調した信号を送信回路１９５０に送る機能とを有する。
【０１１９】
図２０は、ＢＴ通信用ＬＳＩ１８１２の主要な構成要素を示す回路図である。
同図に示されるように、ＢＴ通信用ＬＳＩ１８１２は、実施の形態１に係る通信用ＬＳＩ２１０から、受信回路３３０が受信回路２０３０に変更され、復調回路３４０が復調回路２０４０に変更され、送信回路３５０が送信回路２０５０に変更され、変調回路３６０が変調回路２０６０に変更されるように変形されている。
【０１２０】
受信回路２０３０は、送受信切替スイッチ３２０と復調回路２０４０とＲＳＳＩ値測定回路３７０とに接続され、第５アンテナ１７１５又は第６アンテナ１７１６を利用して外部のＢＴ機器から送信されるＢＴ規格の周波数帯の信号を受信する機能と、受信した受信信号を復調回路２０４０に送る機能とを有する。
復調回路２０４０は、受信回路２０３０とＣＰＵ１８００とに接続され、受信回路２０３０から送られてきた受信信号を復調する機能と、復調した信号をＣＰＵ１８００に送る機能とを有する。
【０１２１】
送信回路２０５０は、送受信切替スイッチ３２０と変調回路２０６０とに接続され、変調回路２０６０から送られてきた信号を、第５アンテナ１７１５又は第６アンテナ１７１６を利用して外部の基地局等へ送信する機能を有する。
変調回路２０６０は、送信回路２０５０とＣＰＵ１８００とに接続され、ＣＰＵ１８００から送られてきた信号を、ＢＴ規格の周波数帯の信号に変調する機能と、変調した信号を送信回路２０５０に送る機能とを有する。
【０１２２】
図２１は、ＧＰＳ通信用ＬＳＩ１８１３の主要な構成要素を示す回路図である。
同図に示されるように、ＧＰＳ通信用ＬＳＩ１８１３は、実施の形態１に係る通信用ＬＳＩ２１０から、受信回路３３０が受信回路２１３０に変更され、復調回路３４０が復調回路２１４０に変更され、送信回路３５０と変調回路３６０とが削除されるように変形されている。
【０１２３】
受信回路２１３０は、送受信切替スイッチ３２０と復調回路２１４０とＲＳＳＩ値測定回路３７０とに接続され、第７アンテナ１７１７又は第８アンテナ１７１８を利用してＧＰＳ衛星から送信されるＧＰＳが利用する周波数帯の信号を受信する機能と、受信した受信信号を復調回路２１４０に送る機能とを有する。
復調回路２１４０は、受信回路２１３０とＣＰＵ１８００とに接続され、受信回路２１３０から送られてきた受信信号を復調する機能と、復調した信号をＣＰＵ１８００に送る機能とを有する。
【０１２４】
再び図１８に戻って、第４変形携帯電話機１７００の説明を続ける。
第３アンテナ１７１３は、受信回路１９３０と送信回路１９５０とが行う通信に利用される、ステンレス製薄膜からなるモノポールアンテナであって、８００ＭＨｚ帯通信用ＬＳＩ１８１１のセレクタ３１０に接続される。そして、この第３アンテナ１７１３は、その長さが８００Ｈｚ帯電磁波の波長の略１／４となっていて、第４変形携帯電話機１７００の筐体右側面の表面に配置される。
【０１２５】
第４アンテナ１７１４は、受信回路１９３０と送信回路１９５０とが行う通信に利用される、ステンレス製薄膜からなるモノポールアンテナであって、８００ＭＨｚ帯通信用ＬＳＩ１８１１のセレクタ３１０に接続される。そして、この第４アンテナ１７１４は、第３アンテナ１７１３と同様に、その長さが８００ＭＨｚ帯電磁波の波長の略１／４となっていて、第４変形携帯電話機１７００の筐体左側面の表面に配置される。
【０１２６】
第５アンテナ１７１５は、受信回路２０３０と送信回路２０５０とが行う通信に利用される、ステンレス製薄膜からなるモノポールアンテナであって、ＢＴ通信用ＬＳＩ１８１２のセレクタ３１０に接続される。そして、この第５アンテナ１７１５は、その長さがＢＴ規格の周波数帯電磁波の波長の略１／４となっていて、第４変形携帯電話機１７００の筐体主平面の表面に配置される。
【０１２７】
第６アンテナ１７１６は、受信回路２０３０と送信回路２０５０とが行う通信に利用される、ステンレス製薄膜からなるモノポールアンテナであって、ＢＴ通信用ＬＳＩ１８１２のセレクタ３１０に接続される。そして、この第６アンテナ１７１６は、第５アンテナ１７１５と同様に、その長さがＢＴ規格の周波数帯電磁波の波長の略１／４となっていて、第４変形携帯電話機１７００の筐体裏面の表面に配置される。
【０１２８】
第７アンテナ１７１７は、受信回路２１３０が行う通信に利用される、ステンレス製薄膜からなるモノポールアンテナであって、ＧＰＳ通信用ＬＳＩ１８１３のセレクタ３１０に接続される。そして、この第７アンテナ１７１７は、その長さがＧＰＳ規格の周波数帯電磁波の波長の略１／４となっていて、第４変形携帯電話機１７００の筐体上側面の表面に配置される。
【０１２９】
第８アンテナ１７１８は、受信回路２１３０が行う通信に利用される、ステンレス製薄膜からなるモノポールアンテナであって、ＧＰＳ通信用ＬＳＩ１８１３のセレクタ３１０に接続される。そして、この第８アンテナ１７１８は、第７アンテナ１７１７と同様に、その長さがＧＰＳ規格の周波数帯電磁波の波長の略１／４となっていて、第４変形携帯電話機１７００の筐体下側面の表面に配置される。
【０１３０】
ＣＰＵ１８００は、実施の形態１に係るＣＰＵ２００から、その一部が変形されたものであり、通信用ＬＳＩ２１０と８００ＭＨｚ帯通信用ＬＳＩ１８１１とＢＴ通信用ＬＳＩ１８１２とＧＰＳ通信用ＬＳＩ１８１３とタッチパネルコントローラ２２０とメモリ２３０とレシーバ２４０とマイク２５０とタイマ２６０とに接続され、メモリ２３０に記憶されているプログラムを実行することとで、通信用ＬＳＩ２１０と８００ＭＨｚ帯通信用ＬＳＩ１８１１とＢＴ通信用ＬＳＩ１８１２とＧＰＳ通信用ＬＳＩ１８１３とタッチパネルコントローラ２２０とタイマ２６０とを制御して、実施の形態１に係る携帯電話機制御機能とアンテナ選択信号生成機能と初期状態設定機能に加えて、８００ＭＨｚ帯アンテナ選択信号生成機能とＢＴアンテナ選択信号生成機能とＧＰＳアンテナ選択信号生成機能とを有する。
【０１３１】
８００ＭＨｚ帯アンテナ選択信号生成機能：実施の形態１に係るアンテナ選択信号生成機能と同等な機能であって、８００ＭＨｚ帯通信用ＬＳＩ１８１１のＲＳＳＩ値測定回路３７０から送られるＲＳＳＩ値に基づいて、論理値“０”又は“１”のいずれかとなるアンテナ選択信号を生成し、生成したアンテナ選択信号を８００ＭＨｚ帯通信用ＬＳＩ１８１１のセレクタ３１０に出力する機能。
【０１３２】
ＢＴアンテナ選択信号生成機能：実施の形態１に係るアンテナ選択信号生成機能と同等な機能であって、ＢＴ通信用ＬＳＩ１８１２のＲＳＳＩ値測定回路３７０から送られるＲＳＳＩ値に基づいて、論理値“０”又は“１”のいずれかとなるアンテナ選択信号を生成し、生成したアンテナ選択信号をＢＴ通信用ＬＳＩ１８１２のセレクタ３１０に出力する機能。
【０１３３】
ＧＰＳアンテナ選択信号生成機能：実施の形態１に係るアンテナ選択信号生成機能と同等な機能であって、ＧＰＳ通信用ＬＳＩ１８１３のＲＳＳＩ値測定回路３７０から送られるＲＳＳＩ値に基づいて、論理値“０”又は“１”のいずれかとなるアンテナ選択信号を生成し、生成したアンテナ選択信号をＧＰＳ通信用ＬＳＩ１８１３のセレクタ３１０に出力する機能。
【０１３４】
＜考察＞
上記構成の第４変形携帯電話機１７００は、１．９ＧＨｚ帯の信号を利用する通信と、８００ＭＨｚ帯の信号を利用する通信と、ＢＴ規格の周波数帯の信号を利用する通信と、ＧＰＳが利用する周波数帯の信号を利用する受信とのそれぞれについて、通信中に、通信に利用するアンテナの一方にユーザが接触してしまったとしても、利用するアンテナを他方のアンテナに切り替えて通信を継続することができる。
＜補足＞
以上、本発明に係る携帯通信端末の一実施形態として、実施の形態１〜実施の形態５において、携帯電話機１００、第１変形携帯電話機、第２変形携帯電話機６００、第３変形携帯電話機、及び第４変形携帯電話機１７００を例として説明したが、以下のように変形することも可能であり、本発明は上述した実施の形態通りの携帯通信端末に限られないことはもちろんである。
（１）実施の形態１において、携帯電話機１００は、略直方体の形状をした筐体を有するいわゆるタブレット型携帯電話機である構成の例であったが、第１アンテナ１１０と第２アンテナ１２０とのそれぞれが、少なくとも一部を露出している構成であれば、必ずしも、略直方体の形状をした筐体を有するいわゆるタブレット型携帯電話機である必要はない。
【０１３５】
一例として、下記に示す第５変形携帯電話機２２００等が考えられる。
図２２は、第５変形携帯電話機２２００の斜視図である。同図では、図１と同様に、実際には視認することができない部分についても、破線を用いてあたかも視認することができるかのように表示されている。
同図に示されるように、第５変形携帯電話機２２００は、主平面の表面にタッチパネル１６０の操作面とレシーバ孔２２４０とを有する第１筐体２２０１と、主平面の表面に操作キー群２２７０とスピーカ孔２２５０とを有する第２筐体２２０２とを備える、いわゆる折り畳み型携帯電話機である。そして、第１筐体２２０１の主平面の表面に第１アンテナ１１０を備え、第２筐体の主平面の表面に第２アンテナ１２０と備えている。
（２）実施の形態１において、携帯電話機１００は、図１に示されるように、第１アンテナ１１０と第２アンテナ１２０とが、略直方体である筐体の中心点を中心として略点対象となる位置に配置されている構成の例であった。しかしながら、第１アンテナ１１０と第２アンテナ１２０とが、携帯電話機１００を利用するユーザによって、第１アンテナ１１０と第２アンテナ１２０とに同時に接触される可能性が比較的低くなる位置に配置されていれば、第１アンテナ１１０と第２アンテナ１２０とが、必ずしも図１に示される通りの位置に配置される構成に限られる必要はない。
【０１３６】
一例として、下記に示す第６変形携帯電話機２３００が考えられる。
図２３は、第６変形携帯電話機２３００の斜視図である。同図では、図１と同様に、実際には視認することができない部分についても、破線を用いてあたかも視認することができるかのように表示されている。
同図に示されるように、第６変形携帯電話機２３００は、筐体の主平面の表面左上隅に第１アンテナ１１０を備え、主平面の表面において、第１アンテナ１１０に対して、主表面の中心点を中心として略点対象となる位置に第２アンテナ１２０を備える。
【０１３７】
これは、ユーザからの操作を受け付けるタッチパネル１６０を備える筐体の主平面において、タッチパネル１６０を挟む両対向辺は、ユーザの指等が同時に接触する可能性が比較的低いことを反映している。
また、別の一例として、下記に示す第７変形携帯電話機２４００が考えられる。
図２４は、第７変形携帯電話機２４００の斜視図である。同図では、図１と同様に、実際には視認することができない部分についても、破線を用いてあたかも視認することができるかのように表示されている。
【０１３８】
同図に示されるように、第７変形携帯電話機２４００は、筐体の主平面の表面左上隅に第１アンテナ１１０を備え、筐体の上側面右奥に第２アンテナ１２０を備える。
これは、ユーザからの操作を受け付けるタッチパネル１６０を備える筐体の主平面、と筐体の上側面とに、ユーザの指等が同時に接触する可能性が比較的低いことを反映している。
（３）実施の形態１において、第１アンテナ１１０の長さと第２アンテナ１２０の長さとが、１．９ＧＨｚ帯電磁波の波長の略１／４となっている構成の例について説明したが、アンテナの実行長が１．９ＧＨｚ帯電磁波の波長の略１／４となっていれば、必ずしも、第１アンテナ１１０の長さと第２アンテナ１２０の長さとが、１．９ＧＨｚ帯電磁波の波長の略１／４となっている構成に限られない。
【０１３９】
一例として、第１アンテナ１１０を、比較的高い誘電率を有する樹脂上に配置することで、アンテナ１１０の長さが１．９ＧＨｚ帯電磁波の波長の略１／４より小さいにも関わらず、第１アンテナ１１０の実効長を１．９ＧＨｚ帯電磁波の波長の略１／４とする構成の例が考えられる。
さらには、第１アンテナ１１０に対して直列にインダクタを接続することで、アンテナ１１０の長さが１．９ＧＨｚ帯電磁波の波長の略１／４より小さいにも関わらず、第１アンテナ１１０の実効長を１．９ＧＨｚ帯電磁波の波長の略１／４とする構成の例等も考えられる。
（４）実施の形態１において、第１アンテナ１１０と第２アンテナ１２０とのそれぞれがステンレス製薄膜からなるモノポールアンテナである構成の例について説明したが、通信に効率的に利用することができるアンテナであれば、必ずしもモノポールアンテナである構成に限らず、アンテナの材質についてもステンレスとは限らない。例えば、ダイポールアンテナであっても、他方式のアンテナであっても構わない。材質はアンテナに適した他の金属や耐性を高くするためにメッキが施されても構わない。例えば、ケースに直接金属蒸着やメッキすることでアンテナとして利用してもよい。
（５）実施の形態３において、第２変形携帯電話機６００は、第１アンテナ６１０と第２アンテナ６２０と第３アンテナ６３０とを備え、これら３つのアンテナのうちのいずれか１つを選択して受信を行うという構成の例であった。しかしながら、受信品質が比較的悪くなるアンテナを利用せずに受信を行う構成であれば、必ずしも、１つのアンテナを選択して受信を行う構成に限られる必要はない。
【０１４０】
一例として、受信品質が比較的悪くなるアンテナ以外の２つのアンテナを用いて、合成ダイバーシティ受信を行う構成の例等が考えられる。
（６）実施の形態１において、携帯電話機１００は、ＲＳＳＩ値測定回路３７０の出力するＲＳＳＩ値に応じて、利用するアンテナを切り替えるという構成の例であった。そして、実施の形態４において、第３変形携帯電話機は、送信回路３５０の消費電流に応じて、利用するアンテナを切り替えるという構成の例であった。これらの構成の例に加えて、例えば、受信回路３３０が受信する帯域幅内のノイズも含めた全電力に対する希望波の電力の比率に応じて、利用するアンテナを切り替えるという構成の例も考えられる。
（７）実施の形態において、携帯通信端末が携帯電話機である場合の例について説明したが、通信機能を備える携帯端末であれば、必ずしも携帯電話機に限られる必要はなく、例えば、通信機能を有するＰＤＡ（Personal Digital Assistant:携帯情報端末）、通信機能を有するポータブル音楽プレイヤ、トランシーバ等であっても構わない。
（８）また、携帯通信端末は、表面にディスプレイが配置されてなる主面を有する略直方体の筐体を備え、第１のアンテナと第２のアンテナとは、それぞれ、主面以外の面（例えば、筐体の側面）に配置されるとしても良いし、さらに、これらの第１のアンテナと第２のアンテナとは、それぞれ、ディスプレイを挟んで互いに対向する位置に配置されるとしても良い。
（９）上記実施の形態及び上記変形例をそれぞれ組み合わせるとしてもよい。
（１０）以下、さらに本発明の一実施形態に係る携帯通信端末の構成及びその変形例と各効果について説明する。
（ａ）本発明の一実施形態に係る携帯通信端末は、アンテナを利用して外部から送信される信号を受信する携帯通信端末であって、それぞれ少なくとも一部が露出している複数の同種アンテナと、前記複数の同種アンテナの全部又は一部を利用して、外部から送信される信号を受信する受信手段と、前記受信手段が行う受信における受信品質を示す受信品質情報を算出する算出手段と、前記算出手段によって算出された、前記受信手段が前記複数の同種アンテナのうちの１つである第１のアンテナを利用して受信する場合における受信品質情報と前記受信手段が前記複数の同種アンテナのうちの他の１つである第２のアンテナを利用して受信を行う場合における受信品質情報とを利用して、前記受信手段が受信を継続するために利用するアンテナを特定する特定手段とを備え、前記受信手段は、前記特定手段が受信を継続するために利用するアンテナを特定した場合に、当該特定されたアンテナを利用して受信を行うことを特徴とする。
【０１４１】
上述の構成を備える本実施形態に係る携帯通信端末は第１のアンテナを利用して受信する場合における受信品質情報と、第２のアンテナを利用して受信する場合における受信品質情報とを利用して、通信状態を維持するために利用するアンテナを特定する特定手段とを備える。
このことにより、この携帯通信端末は、ユーザの手等が、第１のアンテナの露出部に接触してしまうこと等が原因で、第１のアンテナを利用して送・受信する場合における通信品質が低下する場合でも、第１のアンテナ以外のアンテナを利用して通信状態を維持することができる。
【０１４２】
従って、この携帯通信端末は、アンテナの露出部分にユーザの手等が接触した場合において、従来よりも、通信品質が比較的大きく低下してしまう可能性を低減することが可能となる。
（ｂ）また、前記特定手段は、前記算出手段によって算出された、前記受信手段が前記第１のアンテナを利用して受信する場合における受信品質情報によって示される受信品質が、前記算出手段によって算出された、前記受信手段が前記第２のアンテナを利用して受信する場合における受信品質情報によって示される受信品質よりも低いときに、前記特定するアンテナとして、前記第１のアンテナ以外のアンテナを特定するとしてもよい。
【０１４３】
これにより、携帯通信端末は、第１のアンテナを利用して通信している場合において、第１のアンテナを利用して行う通信における受信品質が、第２のアンテナを利用して行う通信における受信品質よりも悪くなったとき、通信に利用するアンテナを第１のアンテナ以外のアンテナに切り替えて通信を継続することができる。
（ｃ）また、前記特定手段は、前記算出手段によって算出された、前記受信手段が前記第１のアンテナを利用して受信する場合における受信品質情報によって示される受信品質が所定の閾値以下となるときに、前記特定するアンテナとして、前記第１のアンテナ以外のアンテナを特定するとしてもよい。
【０１４４】
これにより、携帯通信端末は、第１のアンテナを利用して通信している場合において、第１のアンテナを利用して行う通信における受信品質が所定の品質以下となったとき、通信に利用するアンテナを第１のアンテナ以外のアンテナに切り替えて通信を継続することができる。
（ｄ）また、前記携帯通信端末は、略直方体の筐体を備え、前記第１のアンテナは、前記筐体の第１の面の表面に配置され、前記第２のアンテナは、前記筐体の面のうち、前記第１の面以外の第２の面の表面に配置されるとしてもよい。
【０１４５】
これにより、携帯通信端末は、携帯通信端末を利用するユーザによって、第１のアンテナと第２のアンテナとを同時に接触されてしまう可能性を比較的低くすることができる。
（ｅ）また、前記第２の面は、前記第１の面に対向する面であるこれにより、携帯通信端末は、携帯通信端末を利用するユーザによって、第１のアンテナと第２のアンテナとを同時に接触されてしまう可能性をさらに低くすることができる。
【０１４６】
（ｆ）また、前記携帯通信端末は、表面にディスプレイが配置されてなる主面を有する略直方体の筐体を備え、前記第１のアンテナと前記第２のアンテナとは、それぞれ、前記主面のうち、前記ディスプレイを挟んで互いに対向する位置に配置されるとしてもよい。
これにより、携帯通信端末は、携帯通信端末を利用するユーザによって、第１のアンテナと第２のアンテナとを同時に接触されてしまう可能性を比較的低くすることができる。
【０１４７】
（ｇ）また、前記携帯通信端末は、第１の筐体と、当該第１の筐体に連結される第２の筐体とを備え、前記第１のアンテナは、前記第１の筐体の表面に配置され、前記第２のアンテナは、前記第２の筐体の表面に配置されるとしてもよい。
これにより、携帯通信端末は、携帯通信端末を利用するユーザによって、第１のアンテナと第２のアンテナとを同時に接触されてしまう可能性を比較的低くすることができる。
【０１４８】
（ｈ）また、前記受信品質情報は、前記受信手段が行う受信における受信強度を示す情報であるとしてもよい。
これにより、通信における受信品質を示す指標として、比較的容易に算定することができる受信強度を用いることができる。
（ｉ）また、前記複数の同種アンテナのそれぞれは、前記携帯通信端末の表面に形成された、薄膜状の金属からなるとしてもよい。
【０１４９】
これにより、携帯通信端末の表面におけるアンテナ起因の凹凸を、比較的小さなものとすることができる。
（ｊ）また、前記金属は、ステンレスであるとしてもよい。
これにより、アンテナにおける酸素や水等による腐食に対する耐性を、比較的高くすることができる。
【０１５０】
（ｋ）また、前記携帯通信端末は、表面にディスプレイが配置されてなる主面を有する略直方体の筐体を備え、前記第１のアンテナと前記第２のアンテナとは、それぞれ、前記主面以外の面に配置されるとしてもよい。
これにより、携帯通信端末は、携帯通信端末を利用するユーザによって、第１のアンテナと第２のアンテナとを同時に接触されてしまう可能性を比較的低くすることができる。
【０１５１】
（ｌ）また、前記第１のアンテナと前記第２のアンテナとは、それぞれ、前記ディスプレイを挟んで互いに対向する位置に配置されるこれにより、携帯通信端末は、携帯通信端末を利用するユーザによって、第１のアンテナと第２のアンテナとを同時に接触されてしまう可能性をさらに低くすることができる。
【産業上の利用可能性】
【０１５２】
本発明は、携帯通信端末に広く利用することができる。
【符号の説明】
【０１５３】
１００  携帯電話機
１１０  第１アンテナ
１２０  第２アンテナ
２００  ＣＰＵ
２１０  通信用ＬＳＩ
２３０  メモリ
２４０  タイマ
３１０  セレクタ
３２０  送受信切替スイッチ
３３０  受信回路
３５０  送信回路
３７０  ＲＳＳＩ値測定回路
【図１】
2013110706.tif 000003
【図２】
2013110706.tif 000004
【図３】
2013110706.tif 000005
【図４】
2013110706.tif 000006
【図５】
2013110706.tif 000007
【図６】
2013110706.tif 000008
【図７】
2013110706.tif 000009
【図８】
2013110706.tif 000010
【図９】
2013110706.tif 000011
【図１０】
2013110706.tif 000012
【図１１】
2013110706.tif 000013
【図１２】
2013110706.tif 000014
【図１３】
2013110706.tif 000015
【図１４】
2013110706.tif 000016
【図１５】
2013110706.tif 000017
【図１６】
2013110706.tif 000018
【図１７】
2013110706.tif 000019
【図１８】
2013110706.tif 000020
【図１９】
2013110706.tif 000021
【図２０】
2013110706.tif 000022
【図２１】
2013110706.tif 000023
【図２２】
2013110706.tif 000024
【図２３】
2013110706.tif 000025
【図２４】
2013110706.tif 000026